(57)【特許請求の範囲】
【請求項１】
窓昇降用モータと、
窓上昇用及び窓降下用の操作スイッチと、
互いに離れて配設される一対の水没検出電極により構成されて前記両水没検出電極間の電気抵抗値の減少により水没を検出する水没センサと、
前記操作スイッチの操作信号に基づいて前記窓昇降用モータを昇降させる通常制御を行う窓制御部と、
前記水没センサによる水没検出時に前記窓昇降用モータの上昇禁止し、かつ、降下操作を可能とする水没時制御を優先実行する水没制御部と、
前記窓制御部に電源電圧を給電する電源回路部と、
を備え、
前記水没制御部は、前記水没検出時の前記電源回路部から前記窓制御部への電源電圧給電を禁止することを特徴とする水没センサ付きパワーウインドウ装置。
【請求項２】
窓昇降用モータと、
窓上昇用及び窓降下用の操作スイッチと、
互いに離れて配設される一対の水没検出電極により構成されて前記両水没検出電極間の電気抵抗値の減少により水没を検出する水没センサと、
前記操作スイッチの操作信号に基づいて前記窓昇降用モータを昇降させる通常制御を行う窓制御部と、
前記水没センサによる水没検出時に前記窓昇降用モータの上昇禁止し、かつ、降下操作を可能とする水没時制御を優先実行する水没制御部と、
前記窓制御部に電源電圧を給電する電源回路部と、
前記窓制御部及び電源回路部への電源電力給電を開閉する電源スイッチと、
を備え、
前記水没制御部は、前記水没検出時に前記電源スイッチを遮断することを特徴とする水没センサ付きパワーウインドウ装置。
【請求項３】
窓昇降用のモータと、
窓上昇用及び窓降下用の操作スイッチと、
前記モータを上昇駆動する上昇駆動部と、
前記モータを下降駆動する下降駆動部と、
互いに離れて配設される一対の水没検出電極により構成されて前記両水没検出電極間の電気抵抗値の減少により水没を検出する水没センサと、
前記操作スイッチの操作信号に基づいて前記上昇駆動部及び下降駆動部を制御して前記窓昇降用モータを昇降させる通常制御を行う窓制御部と、
前記水没センサによる水没検出時に前記窓昇降用モータの上昇禁止し、かつ、前記下降駆動部を通じての前記モータの下降動作を可能とする水没時制御を優先実行する水没制御部と、
前記上昇駆動部、下降駆動部、窓制御部及び水没制御部が実装される配線基板と、
前記下降駆動部及び前記水没制御部と少なくとも前記窓制御部とを仕切る仕切板と、
を備えることを特徴とする水没センサを有するパワーウインドウ装置。
【請求項４】
請求項３記載の水没センサを有するパワーウインドウ装置において、
前記仕切板は、前記配線基板に固定されていることを特徴とする水没センサを有するパワーウインドウ装置。
【請求項５】
請求項３記載の水没センサを有するパワーウインドウ装置において、
前記仕切板は、前記配線基板を収容するケースの内表面から前記配線基板へ向けて突出して前記配線基板に接触していることを特徴とする水没センサを有するパワーウインドウ装置。
【請求項６】
窓昇降用のモータと、
窓上昇用及び窓降下用の操作スイッチと、
前記モータを上昇駆動する上昇駆動部と、
前記モータを下降駆動する下降駆動部と、
互いに離れて配設される一対の水没検出電極により構成されて前記両水没検出電極間の電気抵抗値の減少により水没を検出する水没センサと、
前記操作スイッチの操作信号に基づいて前記上昇駆動部及び下降駆動部を制御して前記窓昇降用モータを昇降させる通常制御を行う窓制御部と、
前記水没センサによる水没検出時に前記窓昇降用モータの上昇禁止し、かつ、前記下降駆動部を通じての前記モータの下降動作を可能とする水没時制御を優先実行する水没制御部と、
前記下降駆動部及び前記水没制御部が実装される第一の配線基板と、
少なくとも前記窓制御部が実装される第二の配線基板と、
を備えることを特徴とする水没センサを有するパワーウインドウ装置。
【請求項７】
請求項６記載の水没センサを有するパワーウインドウ装置において、
前記両配線基板は、同一のケースに収容され、
前記ケースは、前記両配線基板を仕切る仕切板を有することを特徴とする水没センサを有するパワーウインドウ装置。
【発明の詳細な説明】
【０００１】
【発明の属する技術分野】
本発明は、水没センサ付きパワーウインドウ装置に関し、特に水没検出信頼性に優れた水没センサ付きパワーウインドウ装置に関する。
【０００２】
【従来の技術】
従来、車両水没を検出すれば強制的にパワーウインドウ装置の窓上昇を禁止するとともに、外部から窓降下用操作信号が入力すれば窓降下のためのモータ駆動を行わせることにより、水没時のパワーウインドウの制御部（窓制御部ともいう）の誤動作に起因する窓開不能状況を防止する技術（以下、
水没対応型パワーウインドウ装置ともいう）が提案されている。
【０００３】
従来の水没対応型パワーウインドウ装置の一例を図９に示す。プリント基板（配線基板）１００には、リレー１０１、１０２、リレー駆動用のトランジスタ１０３、１０４、窓制御部１０５、水没制御部１０６、電源回路部１０７、抵抗素子ｒ１〜ｒ６、ダイオードＤ１〜Ｄ３が実装されている。２０１は窓上昇用の操作スイッチ、２０２は窓降下用の操作スイッチ、Ｍは窓昇降用モータである。
【０００４】
窓制御部１０５は、電源回路部１０７から電源電圧Ｖccを印加されている。水没制御部１０６は、水没検出時かつ窓降下用の操作スイッチ２０２のオン時に窓降下リレー１０２をオンさせる出力信号Ｓ１を出力し、更に、水没検出時に窓制御部１０５に水没信号Ｓ２を出力し、窓制御部１０５は水没信号Ｓ２の入力により、窓上昇用の切り替えリレー１０１のコイルに給電するトランジスタ１０３のオンを禁止する。
【０００５】
【発明が解決しようとする課題】
しかしながら、上述した従来の水没対応型パワーウインドウ装置では、水没制御部が水没検出信号を、窓制御部に送信して窓制御部が窓上昇用の信号を出さないように制御しているため、これら窓制御部などが浸水などにより誤動作すると、窓上昇禁止がうまくできなかったり、窓降下用の操作スイッチを操作しないのにもかかわらず窓降下が生じるなどの問題があった。
【０００６】
これは、浸水により、電源ラインとそれよりも低電位のラインとの間に電流リークが生じたり、接地ラインとそれよりも高電位のラインとの間に電流リークが生じたりして発生することが多い。
【０００７】
本発明は上記問題点に鑑みなされたものであり、水没時の制御動作の確実性を回路構成の複雑化を抑止しつつ実現した水没センサを有するパワーウインドウ装置を提供することを、その目的としている。
【０００８】
【課題を解決するための手段】
請求項１記載の水没センサ付きパワーウインドウ装置は、窓昇降用モータと、窓上昇用及び窓降下用の操作スイッチと、互いに離れて配設される一対の水没検出電極により構成されて前記両水没検出電極間の電気抵抗値の減少により水没を検出する水没センサと、前記操作スイッチの操作信号に基づいて前記窓昇降用モータを昇降させる通常制御を行う窓制御部と、前記水没センサによる水没検出時に前記窓昇降用モータの上昇禁止し、かつ、降下操作を可能とする水没時制御を優先実行する水没制御部、前記窓制御部に電源電圧を給電する電源回路部とを備え、
前記水没制御部が、前記水没検出時の前記電源回路部から前記窓制御部への電源電圧給電を禁止することを特徴としている。
【０００９】
すなわち、本構成では、水没制御部が水没を検出すれば、非水没時の窓制御を担当する窓制御部への電源電圧印加を禁止するので、水没時に窓制御部が誤動作することがなく、水没制御部のみにより窓昇降用モータを駆動制御できるので、回路構成の複雑化を招くことなく従来より格段に動作精度を向上することができる。
【００１０】
請求項２記載の水没センサを有するパワーウインドウ装置は、窓昇降用モータと、窓上昇用及び窓降下用の操作スイッチと、互いに離れて配設される一対の水没検出電極により構成されて前記両水没検出電極間の電気抵抗値の減少により水没を検出する水没センサと、前記操作スイッチの操作信号に基づいて前記窓昇降用モータを昇降させる通常制御を行う窓制御部と、前記水没センサによる水没検出時に前記窓昇降用モータの上昇禁止し、かつ、降下操作を可能とする水没時制御を優先実行する水没制御部と、前記窓制御部に電源電圧を給電する電源回路部と、前記窓制御部及び電源回路部への電源電力給電を開閉する電源スイッチとを備え、前記水没制御部が、前記水没検出時に前記電源スイッチを遮断することを特徴としている。
【００１１】
すなわち、本構成は、水没センサから水没制御部に水没信号が入力される場合に、水没制御部が、窓制御部及び電源回路部に給電する電源スイッチを開放する。なお、水没制御部は前記電源スイッチ以外の経路を通じて電源電力を給電されている。
【００１２】
このようにすれば、窓制御部や電源回路部が、水没時のライン間の電流リークなどにより窓昇降用モータの作動に悪影響を与えて、望ましくない窓昇降動作が生じたり、必要な時に窓下降ができなかったりするという不具合を防止することができる。
【００１３】
請求項３記載の水没センサを有するパワーウインドウ装置は、窓昇降用のモータと、窓上昇用及び窓降下用の操作スイッチと、前記モータを上昇駆動する上昇駆動部と、前記モータを下降駆動する下降駆動部と、互いに離れて配設される一対の水没検出電極により構成されて前記両水没検出電極間の電気抵抗値の減少により水没を検出する水没センサと、前記操作スイッチの操作信号に基づいて前記上昇駆動部及び下降駆動部を制御して前記窓昇降用モータを昇降させる通常制御を行う窓制御部と、前記水没センサによる水没検出時に前記窓昇降用モータの上昇禁止し、かつ、前記下降駆動部を通じての前記モータの下降動作を可能とする水没時制御を優先実行する水没制御部と、前記上昇駆動部、下降駆動部、窓制御部及び水没制御部が実装される配線基板と、前記下降駆動部及び前記水没制御部と少なくとも前記窓制御部とを仕切る仕切板とを備えることを特徴としている。
【００１４】
すなわち、本構成は、水没時に作動する水没制御部を通じて水没時の窓下降要求に応じて作動する下降駆動部並びに水没制御部を、非水没時に作動する少なくとも窓制御部から仕切板により隔離する構造を採用しているので、水没時に窓制御部の配線と、水没制御部及び下降駆動部の配線との間で不所望な電流リークが生じて、窓昇降用モータが誤動作する可能性を防止することができる。
【００１５】
請求項４記載の構成は請求項３記載の水没センサを有するパワーウインドウ装置において更に、前記仕切板が、前記配線基板に固定されていることを特徴としている。
【００１６】
本構成によれば、通常のプリント基板への回路部品実装技術により簡単に仕切板を設けることができる。
【００１７】
請求項５記載の構成によれば請求項３記載の水没センサを有するパワーウインドウ装置において更に、前記仕切板が、前記配線基板を収容するケースの内表面から前記配線基板へ向けて突出して前記配線基板に接触していることを特徴としている。
【００１８】
本構成によれば、仕切板をケースの樹脂成形時に同時に一体に形成することができ、かつ、水没制御部＋下降駆動部を収容する空間を少なくとも窓制御部を収容する空間と完全に分離することができるので、水没時における窓制御部と水没制御部又は下降駆動部との間の電流リークを少ないコスト負担で完全に防止することができる。
【００１９】
請求項６記載の水没センサを有するパワーウインドウ装置は、窓昇降用のモータと、窓上昇用及び窓降下用の操作スイッチと、前記モータを上昇駆動する上昇駆動部と、前記モータを下降駆動する下降駆動部と、互いに離れて配設される一対の水没検出電極により構成されて前記両水没検出電極間の電気抵抗値の減少により水没を検出する水没センサと、前記操作スイッチの操作信号に基づいて前記上昇駆動部及び下降駆動部を制御して前記窓昇降用モータを昇降させる通常制御を行う窓制御部と、前記水没センサによる水没検出時に前記窓昇降用モータの上昇禁止し、かつ、前記下降駆動部を通じての前記モータの下降動作を可能とする水没時制御を優先実行する水没制御部と、前記下降駆動部及び前記水没制御部が実装される第一の配線基板と、少なくとも前記窓制御部が実装される第二の配線基板とを備えることを特徴としている。
【００２０】
すなわち、本構成は、水没時に作動する水没制御部を通じて水没時の窓下降要求に応じて作動する下降駆動部並びに水没制御部と、非水没時に作動する少なくとも窓制御部とが、異なる配線基板に実装しているので、水没時に配線基板上の沿面放電を通じて電流リークして不所望な窓昇降用モータの作動が生じたり、必要な時に窓昇降用モータが降下しなかったりするという問題を簡単な構成で防止することができる。
【００２１】
請求項７記載の構成によれば請求項６記載の水没センサを有するパワーウインドウ装置において更に、前記両配線基板が、同一のケースに収容され、前記ケースが、前記両配線基板を仕切る仕切板を有することを特徴としている。
【００２２】
本構成によれば、仕切板をケースの樹脂成形時に同時に一体に形成することができ、かつ、水没制御部＋下降駆動部を収容する空間を少なくとも窓制御部を収容する空間と完全に分離することができるので、水没時における窓制御部と水没制御部又は下降駆動部との間の電流リークを少ないコスト負担で完全に防止することができる。
【００２３】
【発明を実施するための態様】
以下、本発明の好適な態様を以下の実施例に基づいて説明する。
【００２４】
【実施例１】
この実施例の水没センサ付きパワーウインドウ装置を図１に示す回路図を参照して以下に説明する。
【００２５】
（回路構成）
プリント基板（配線基板）１００には、リレー１０１、１０２、リレー駆動用のトランジスタ１０３、１０４、窓制御部１０５、水没制御部１０６、電源回路部１０７、抵抗素子ｒ１〜ｒ６、ダイオードＤ１〜Ｄ３が実装されている。
【００２６】
２０１は窓上昇用の操作スイッチ、２０２は窓降下用の操作スイッチ、Ｍは窓昇降用モータである。
【００２７】
窓制御部１０５は、マイコンもしくはロジック回路により構成されており、電源回路部１０７から電源電圧Ｖccを印加されている。水没制御部１０６は、図２に示す回路構成を有し、水没検出時かつ窓降下用の操作スイッチ２０２のオン時に窓降下リレー１０２をオンさせる出力信号Ｓ１を出力し、更に、水没検出時に電源回路部１０７の電源電圧出力を禁止する電源回路部停止信号Ｓ２を出力する。水没制御部１０６については後述する。
【００２８】
この実施例では、電源回路部１０７は、窓上昇用の切り替えリレー１０１のコイルに電源電圧Ｖccを印加するが、バッテリ電圧＋Ｂを窓上昇用の切り替えリレー１０１のコイルに印加してもよい。
【００２９】
（非水没時の動作説明）
窓上昇用の操作スイッチ２０１の出力端は抵抗素子ｒ１を通じてバッテリ電圧＋Bを印加されており、操作スイッチ２０１のオンにより、低電位となった操作スイッチ２０１の出力端電位は抵抗素子ｒ２を通じて窓制御部１０５に入力される。
【００３０】
これにより、窓制御部１０５は、抵抗素子ｒ５を通じてトランジスタ１０３をオンさせ、トランジスタ１０３は窓上昇用の切り替えリレー１０１のコイルに通電し、切り替えリレー１０１はＢ電源端子１０１１側に倒れ、窓昇降用モータＭにはバッテリから一方向に電流が流れ、窓昇降用モータＭはパワーウインドウを上昇させる。１０１２は接地端子である。
【００３１】
窓降下用の操作スイッチ２０２の出力端は抵抗素子ｒ３を通じてバッテリ電圧＋Bを印加されており、操作スイッチ２０２のオンにより、低電位となった操作スイッチ２０１の出力端電位は抵抗素子ｒ４を通じて窓制御部１０５に入力される。
【００３２】
これにより、窓制御部１０５は、抵抗素子ｒ６を通じてトランジスタ１０４をオンさせ、トランジスタ１０４は窓降下用の切り替えリレー１０２のコイルに通電し、切り替えリレー１０２はＢ電源端子１０２１側に倒れ、窓昇降用モータＭにはバッテリから逆方向に電流が流れ、窓昇降用モータＭはパワーウインドウを下降させる。１０２２は接地端子である。
【００３３】
（水没時の動作説明）
図２において、１０６１は、水没センサであり、所定間隔を隔ててプリント基板１００に実装され、水没により水没センサ１０６１の電気抵抗値は低下する。
【００３４】
これにより、水没センサ１０６１と抵抗素子ｒ７との接続点電位はハイレベルとなり、トランジスタ１０６２、１０６３をオンし、トランジスタ１０６２のローレベルのコレクタ電位Ｓ２が出力される。トランジスタ１０６３のエミッタは窓下降用の操作スイッチ２０２を通じて接地されており、したがって、水没センサ１０６１が低抵抗となり、操作スイッチ２０２がオンされれば、信号Ｓ１が出力される。ｒ８、ｒ９は負荷用の抵抗素子であり、バッテリ電圧＋Ｂが印加されている。
【００３５】
図１において、信号Ｓ２は、電源回路部１０７に入力されている。信号Ｓ２がローレベルとなると、電源回路部１０７はいままで出力していた一定の電源電圧Ｖccの代わりに０Ｖを出力する。電源回路部１０７には種々の回路構成が知られているが、この種の電源回路部１０７において、出力電圧Ｖccを遮断することは容易であり、回路構成の例示は省略される。
電源回路部１０７は定電圧回路の代わりに、バッテリ電圧＋Ｂの分圧を出力し、信号Ｓ２の入力により０Ｖを出力する回路構成としてもよい。
【００３６】
電源回路部１０７が０Ｖを出力すると、たとえ、浸水による電流リーク状態となっても、窓制御部１０５、窓上昇用の切り替えリレー１０１、トランジスタ１０３を含む回路内では、高電位ラインが存在しないために、窓上昇用の切り替えリレー１０１が上昇側に切り替えられることはなく、窓上昇が禁止される。
【００３７】
窓降下用の操作スイッチ２０２がオンし、浸水によりトランジスタ１０６３がオンすると、トランジスタ１０６２がローレベル電位Ｓ２を出力し、窓降下用の切り替えリレー１０２のコイルに電流が流れ、窓降下用の切り替えリレー１０２は窓昇降用モータＭはパワーウインドウを降下させる。
【００３８】
【実施例２】
他の実施例の水没センサ付きパワーウインドウ装置を図３に示す回路図を参照して以下に説明する。
【００３９】
この回路は、図１の回路において、電源スイッチ３００及び第二電源端子＋Ｂ’を追加したものである。第二電源端子＋Ｂ’は、第一電源端子＋Ｂと同じく車載のバッテリ（図示せず）から給電され、電源スイッチ３００を通じて電源回路部１０７に電源電力を給電している。
【００４０】
電源スイッチ３００は、水没制御部１０６から、水没検出時に電源回路部１０７の電源電圧出力を禁止する電源回路部停止信号Ｓ２を受信し、電源回路部１０７への給電を禁止する。実施例１と同様に水没制御部１０６は、水没時にも第一電源端子＋Ｂから電源電力を給電されている。
【００４１】
この実施例によれば、実施例１と同様の作用効果を奏することができる。
【００４２】
【実施例３】
他の実施例の水没センサ付きパワーウインドウ装置を図１、図４、図５を参照して以下に説明する。
【００４３】
１００はプリント基板（配線基板）、１０１は窓上昇用のリレー（本発明でいう上昇駆動部）、１０２は窓下降用のリレー（本発明でいう下降駆動部）、１０３はトランジスタ（本発明でいう上昇駆動部）、１０４はトランジスタ（本発明でいう下降駆動部）、４００は樹脂板からなる仕切板、５００は樹脂ケース、６００はプリント基板１００に固定されたコネクタ、１１１は、水没制御部１０６、窓下降用のリレー（本発明でいう下降駆動部）１０２、トランジスタ（本発明でいう下降駆動部）１０３以外の回路部品が実装されるプリント基板１００の実装領域、１１２は、水没制御部１０６、窓下降用のリレー（本発明でいう下降駆動部）１０２、トランジスタ（本発明でいう下降駆動部）１０３が実装されるプリント基板１００の実装領域である。
【００４４】
回路構成及び動作は実施例１と同じである。
【００４５】
仕切板４００には、図６に示すように金属製の脚部６０１、６０２が固定されており、脚部６０１、６０２はプリント基板１００のスルーホール（図示せず）に挿入されてはんだ付けされている。仕切板４００は、上記２つの実装領域を区画分離している。仕切板４００の頂面は、ケース５００の内表面に達している。図４に示す矢印はケース５００へのプリント基板１００の挿抜方向である。
【００４６】
この実施例によれば、水没時に作動する水没制御部１０６を通じて水没時の窓下降要求に応じて作動する下降駆動部１０２、１０４並びに水没制御部１０６を、非水没時に作動する窓制御部１０５、電源回路部１０７、上昇駆動部１０１、１０３から仕切板４００により隔離する構造を採用しているので、水没時に第一実装領域１１１の配線と、第二実装領域１１２の配線との間で不所望な電流リークが生じて、窓昇降用モータが誤動作する可能性を防止することができる。
【００４７】
なお、この実施例の構造は、図１に示す実施例１の回路のみならず、水没時でも電源回路部１０７、窓制御部１０５、上昇駆動部１０１、１０３への給電が通常どおりに維持される回路構成にも適用することができる。
【００４８】
（変形態様）
図４〜図６に示す上記実施例では、仕切板４００はプリント基板１００に固定されたが、その代わりにケース５００と一体に樹脂成形してもよい。また、脚部６０１、６０２を仕切板４００と一体に樹脂成形により作製してもよい。
【００４９】
【実施例４】
他の実施例の水没センサ付きパワーウインドウ装置を図１、図７、図８を参照して以下に説明する。
【００５０】
１００、１００’はプリント基板（配線基板）、６００はプリント基板１００に固定されたコネクタ、６００’はプリント基板１００’に固定されたコネクタ、４００’は、ケース４００と一体に樹脂成形された仕切板（隔壁）である。
【００５１】
プリント基板（第一の配線基板）１００には、窓上昇用のリレー（本発明でいう上昇駆動部）１０１、トランジスタ（本発明でいう上昇駆動部）１０３、窓制御部１０５、電源回路部１０７が実装されている。
【００５２】
プリント基板（第二の配線基板）１００’には、窓下降用のリレー（本発明でいう下降駆動部）１０２、トランジスタ（本発明でいう下降駆動部）１０４、水没制御部１０６が実装されている。
【００５３】
この実施例によれば、水没時に作動する水没制御部１０６を通じて水没時の窓下降要求に応じて作動する下降駆動部１０２、１０４並びに水没制御部１０６を、非水没時に作動する窓制御部１０５、電源回路部１０７、上昇駆動部１０１、１０３とは別のプリント基板に実装し、更に仕切板４００’で両プリント基板１００、１００’を空間的に分離する構造を採用しているので、水没時に両プリント基板１００、１００’との間で不所望な電流リークが生じて、窓昇降用モータが誤動作する可能性を防止することができる。
【００５４】
なお、この実施例の構造は、図１に示す実施例１の回路のみならず、水没時でも電源回路部１０７、窓制御部１０５、上昇駆動部１０１、１０３への給電が通常どおりに維持される回路構成にも適用することができる。
【図面の簡単な説明】
【図１】実施例１の水没センサを有するパワーウインドウ装置の回路図である。
【図２】図１の水没制御部の回路図である。
【図３】実施例２の水没センサを有するパワーウインドウ装置の回路図である。
【図４】実施例３の水没センサを有するパワーウインドウ装置の平面図である。
【図５】図４の装置の正面図である。
【図６】図４、図５に示す仕切板の斜視図である。
【図７】実施例４の水没センサを有するパワーウインドウ装置の平面図である。
【図８】図７の装置の正面図である。
【図９】従来の水没センサを有するパワーウインドウ装置の回路図である。
【符号の説明】
１０５  窓制御部
１０６  水没制御部
１０７  電源回路部
２０１  窓上昇用の操作スイッチ
２０２  窓降下用の操作スイッチ
Ｍ  窓昇降用モータ
【図１】
0003760792.tif 000002
【図２】
0003760792.tif 000003
【図３】
0003760792.tif 000004
【図４】
0003760792.tif 000005
【図５】
0003760792.tif 000006
【図６】
0003760792.tif 000007
【図７】
0003760792.tif 000008
【図８】
0003760792.tif 000009
【図９】
0003760792.tif 000010